(57)【要約】【課題】ドクターブレードの差込作業を簡単かつ安全に行い得るようにしたドクター装置を提案すること。【解決手段】ドクター装置１は、ロール表面に圧接されるドクターブレード２を保持しているブレードホルダ３を有し、このブレードホルダ３は、その前端部分に、長手方向の一方の端からドクターブレード２の後端部分を差し込み可能なブレード差込溝３ａを備えており、当該ブレードホルダ３の一端には、ブレード差込溝３ａにドクターブレード２を案内するためのブレードガイド１１が取り付けられている。ブレードガイド１１によって案内することにより、細長く、撓み易いドクターブレード２の端を簡単にブレードホルダ３のブレード差込溝３ａの端から差し込むことができる。ブレードガイド１１によってドクターブレード２が案内されるので、差込作業時にドクターブレード２の刃先２ａに接触して作業員が怪我をすることもなく、安全である。【選択図】図２
2008208496.tif 000002
【特許請求の範囲】
【請求項１】
ロール表面に圧接されるドクターブレードを保持しているブレードホルダを有し、
このブレードホルダは、その前端部分に、長手方向の一方の端からドクターブレードの後端部分を差し込み可能なブレード差込溝を備えており、
当該ブレードホルダにおける少なくとも一方の端には、前記ブレード差込溝にドクターブレードを案内するためのブレードガイドが取り付けられていることを特徴とするドクター装置。
【請求項２】
前記ブレードガイドには、前記ブレード差込溝に対応する形状のガイド用差込溝が形成されていることを特徴とする請求項１に記載のドクター装置。
【請求項３】
前記ブレードホルダは、細長い矩形形状のトッププレートと、このトッププレートの裏面に沿って一定の間隔で取り付けられている複数のフィンガプレートとを備えており、各フィンガプレートはトッププレートの裏面において当該トッププレートの前後方向に配置されており、
各フィンガプレートの前端部とトッププレートの前端部の間に、前方に開口した前記ブレード差込溝が形成されており、
トッププレートの少なくとも一方の端に配置されているフィンガプレートの端面部分に、前記ブレードガイドが取り付けられているか、あるいは、当該フィンガプレートの端面部分に前記ブレードガイドが一体形成されていることを特徴とする請求項２に記載のドクター装置。
【発明の詳細な説明】
【技術分野】
【０００１】
本発明は、抄紙機ロールなどのロールの表面に付着した異物を掻き落とすために用いるドクター装置に関し、特に、ドクターブレードを簡単にブレードホルダに差し込むことのできるドクター装置に関するものである。
【背景技術】
【０００２】
図１には一般的なドクター装置を示してある。この図に示すように、ドクター装置１は、ロールの表面に圧接される刃先２ａを備えた細長いドクターブレード２と、このドクターブレード２を保持しているブレードホルダ３と、このブレードホルダ３を支持しているドクターバック４とを備え、ドクターバック４の両端のジャーナル軸５が不図示の軸受部によって回動可能な状態で支持されている。
【０００３】
ドクターブレード２は一般に、ロールの面長に対応する長さを備えた細長い矩形板形状をしており、その一方(前端側)の長辺縁に刃先２ａが形成され、他方(後端側)の長辺縁部分２ｂがブレードホルダ３の前端部に形成されているブレード差込溝３ａに差し込まれた状態で保持されている。
【０００４】
ドクターブレード２は、図において矢印Ａで示すように、その長辺方向の一方の端からブレードホルダ３のブレード差込溝３ａの端に差し込まれ、ブレード差込溝３ａに沿って全長分押し込むことにより、当該ブレードホルダ３に取り付けることができる。ドクターブレード２の交換時にも、ドクターブレード２をブレード差込溝３ａの端から長辺方向に引き出す作業、および、新たなドクターブレードをブレード差込溝３ａの端から長辺方向に差し込む作業が行われる。
【発明の開示】
【発明が解決しようとする課題】
【０００５】
ここで、ドクター装置１の側方にはドクター装置１などを支持しているフレーム６などが配置されている。ドクターブレード２をフレーム６の内側に位置しているブレードホルダ３のブレード差込溝３ａに差し込むことができるように、フレーム６には、開口部６ａが形成されており、ここを通して細長いドクターブレード２がブレード差込溝３ａの端に向けて押し込まれる。
【０００６】
しかしながら、フレーム６の開口部６ａからブレード差込溝３ａの端までは距離が長いので、細長いドクターブレード２の端２ｃを、反対側の端２ｄを持ってブレード差込溝３ａに入れる作業が困難である。また、ドクターブレード２は上下に振れ易く、前端縁には刃先２ａが形成されているので、刃先が作業員に当たり怪我をするおそれがあり、ドクターブレード２の差込作業は危険な作業である。
【０００７】
本発明の課題は、この点に鑑みて、ドクターブレードの差込作業を簡単かつ安全に行い得るようにしたドクター装置を提案することにある。
【課題を解決するための手段】
【０００８】
上記の課題を解決するために、本発明のドクター装置は、ロール表面に圧接されるドクターブレードを保持しているブレードホルダを有し、このブレードホルダは、その前端部分に、長手方向の一方の端からドクターブレードの後端部分を差し込み可能なブレード差込溝を備えており、当該ブレードホルダにおける少なくとも一方の端には、前記ブレード差込溝にドクターブレードを案内するためのブレードガイドが取り付けられていることを特徴としている。
【０００９】
ここで、前記ブレードガイドに前記ブレード差込溝に対応する形状のガイド用差込溝を形成しておくことが望ましい。
【００１０】
また、前記ブレードホルダは、細長い矩形形状のトッププレートと、このトッププレートの裏面に沿って一定の間隔で取り付けられている複数のフィンガプレートとを備えた構造とすることができる。この場合、各フィンガプレートはトッププレートの裏面において当該トッププレートの前後方向に配置されており、各フィンガプレートの前端部とトッププレートの前端部の間に、前方に開口した前記ブレード差込溝が形成されている。
【００１１】
この場合には、トッププレートの少なくとも一方の端に配置されているフィンガプレートの端面部分に、前記ブレードガイドを溶接などの方法によって取り付けておけばよい。あるいは、フィンガプレートの端面部分に前記ブレードガイドが溶接された構造のもの、あるいはブレードガイドが一体形成されたフィンガプレートを用意しておいてもよい。
【００１２】
このように、ブレードガイド付きフィンガを用意しておけば、ブレードホルダの端に取り付けられているブレードフィンガをブレードガイド付きフィンガに交換するだけでよいので、既設のドクター装置に対して簡単に本発明を適用できる。また、ブレードガイド付きフィンガプレートが破損した場合には、当該ブレードガイド付きフィンガプレートのみを交換するだけでよい。
【発明の効果】
【００１３】
本発明のドクター装置では、そのブレードホルダの端にブレードガイドが取り付けられている。ブレードガイドを、ブレードホルダのブレード差込溝の端から、ドクター装置を支持しているフレームまでの長さとしておけば、フレームの外側からブレードホルダのブレード差込溝に差し込まれるドクターブレードは、当該ブレードガイドに案内されてブレード差込溝の端に自動的に押し込まれる。よって、細長く、撓み易いドクターブレードの端を簡単にブレードホルダのブレード差込溝の端から当該ブレード差込溝に差し込むことができる。また、ブレードガイドによってドクターブレードが案内されるので、差込作業時にドクターブレードの刃先に接触して作業員が怪我をすることもないので安全である。
【発明を実施するための最良の形態】
【００１４】
以下に、図面を参照して、本発明を適用したドクター装置の実施の形態を説明する。
【００１５】
図２は本実施の形態に係るドクター装置の主要部分を示す説明図である。ドクター装置１０の基本構成は図１に示すドクター装置１と同様であるので、図においては対応する部位には同一の符号を付してある。
【００１６】
ドクター装置１０は、ドクターブレード２と、ブレードホルダ３と、ドクターバック４とを備えている。ドクターブレード２は細長い長方形の板であり、前側の長辺縁には刃先２ａが形成されており、後側の長辺縁部分２ｂがブレードホルダ３の前端部分に形成されているブレード差込溝３ａに差し込まれている。
【００１７】
ブレードホルダ３は、細長い矩形の金属板からなるトッププレート３１と、このトッププレート３１の裏面に、その長辺方向に一定の間隔で取り付けた複数本のフィンガプレート３２とを備えている。フィンガプレート３２はトッププレート３１の前後方向(短辺方向)に配列されている。フィンガプレート３２の前端面３３には、その下端から前方に突出している前方突出部３４と、この前端から上方に直角に折れ曲がって突出している上方突出部３５が形成されている。上方突出部３５の上端はトッププレート３１の裏面３１ａよりも下側に位置している。これらトッププレート３１の裏面３１ａの前側部分と、前端面３３、前方突出部３４および上方突出部３５によって、ブレード差込溝３ａが形成されている。
【００１８】
ここで、最も端に位置しているフィンガプレート３２Ａの端面には、ドクターブレード２をブレード差込溝３ａに案内するための細長いブレードガイド１１が取り付けられている。ブレードガイド１１は、トッププレート３１に連続して延びている天板部分１１ａと、この天板部分１１ａの後端から下方に直角に折れ曲がっている背板部分１１ｂと、この背板部分１１ｂの下端から前方に水平に延びている底板部分１１ｃと、底板部分１１ｃの前端から上方に折れ曲がって延びている前板部分１１ｄとを備えている。これらにより、ブレード差込溝３ａの溝断面と同一形状のブレードガイド用差込溝１１ｅが形成されている。ブレードガイド１１は例えば１００mm〜５００mmの長さとされる。
【００１９】
なお、図３に示すように、フィンガプレート３２Ａとして、ブレードガイド１１が予め取り付けられた構造のものを用意しておいてもよい。例えば、フィンガプレート３２Ａとして、通常のフィンガプレート３２と共に、ブレードガイド１１が溶接により固定されているものを用意しておく。あるいは、ブレードガイド１１が一体形成されたフィンガプレート３２Ａを用意しておく。このようにすれば、既設のドクター装置に対して、その端のフィンガプレートのみをブレードガイド付きのものと交換するだけで、ドクターブレードの差込作業を簡単かつ安全に行うことのできる構造にすることができるので便利である。
【００２０】
また、ブレードガイド付きフィンガプレートが破損した場合には、予め用意してあるブレードガイド付きフィンガプレートに交換すればよいので、交換作業も簡単かつ迅速に行うことができる。
【００２１】
次に、図４は異なる構造のドクター装置に本発明を適用した例を示す説明図である。図４(ａ)は一般的に使用されているドクター装置であり、このドクター装置２０は、トッププレート２１と、この裏面に取り付けたボトムプレート２２とを備え、これらの間の前端部分にブレード差込溝２３が形成されており、ここに、ドクターブレード２４の後端部分が差し込まれている。トッププレート２１の後端部分はドクターバック２５に取り付けられている。
【００２２】
図４(ｂ)および(ｃ)は、この構造のドクター装置２０に本発明を適用した例を示す説明図である。図４(ｂ)に示す例では、トッププレート２１およびボトムプレート２２を、ドクターバック２５の端面２５ａよりも横方に所定長さだけ突出させることにより、ブレード差込溝２３にドクターブレード２４を案内するためのブレードガイド部分２６が一体形成されている。
【００２３】
図４(ｃ)に示す例は、トッププレート２１の前端部分と、ボトムプレート２２を横方に延長することにより、ブレードガイド部分２７が一体形成されている。このように、ブレードガイド部分２７の前後方向の幅Ｈを細くすると、周囲に配置されているクランプなどと干渉しないので好ましい。
【図面の簡単な説明】
【００２４】
【図１】従来のドクター装置を示す説明図である。
【図２】本発明を適用したドクター装置を示す説明図である。
【図３】本発明を適用したブレードガイド付きフィンガプレートを示す説明図である。
【図４】本発明を適用したドクター装置を示す説明図である。
【符号の説明】
【００２５】
１、１０、２０  ドクター装置
２    ドクターブレード
２ａ  刃先
２ｂ  後端縁部分
３    ブレードホルダ
３ａ  ブレード差込溝
４    ドクターバック
１１  ブレードガイド
１１ｅ  ブレードガイド用差込溝
２１、３１  トッププレート
２２  ボトムプレート
２３  ブレード差込溝
２６、２７  ブレードガイド
３２  フィンガプレート
【図１】
2008208496.tif 000003
【図２】
2008208496.tif 000004
【図３】
2008208496.tif 000005
【図４】
2008208496.tif 000006
【手続補正書】
【提出日】平成19年3月19日(2007.3.19)
【手続補正１】
【補正対象書類名】図面
【補正対象項目名】全図
【補正方法】変更
【補正の内容】
【図１】
2008208496.tif 000007
【図２】
2008208496.tif 000008
【図３】
2008208496.tif 000009
【図４】
2008208496.tif 000010